(57)【特許請求の範囲】
【請求項１】
複数の通気性の内包装袋の各々にポリビニルアセタール樹脂多孔質体を収容して前記複数の内包装袋の開口部を閉止し、非通気性の包装袋内に前記複数の内包装袋を収容するとともに前記複数の内包装袋外であって前記包装袋内にホルムアルデヒド吸着材を収容して前記包装袋を密閉した状態で、前記包装袋の外部から電子線又はガンマ線を照射することを特徴とするポリビニルアセタール樹脂多孔質体の滅菌方法。
【請求項２】
複数の通気性の内包装袋の各々にポリビニルアセタール樹脂多孔質体を収容して前記複数の内包装袋の開口部を閉止し、ホルムアルデヒド吸着性能を有する非通気性の包装袋内に前記複数の内包装袋を収容して密閉した状態で、前記包装袋の外部から電子線又はガンマ線を照射することを特徴とするポリビニルアセタール樹脂多孔質体の滅菌方法。
【請求項３】
前記包装袋の内部の酸素濃度を２０％以下に低減して前記包装袋を密閉することを特徴とする請求項１又は請求項２に記載のポリビニルアセタール樹脂多孔質体の滅菌方法。
【請求項４】
包装袋の外部から電子線又はガンマ線を照射して前記包装袋内の複数のポリビニルアセタール樹脂多孔質体を滅菌するための滅菌用包装体であって、
複数の通気性の内包装袋と、
非通気性の前記包装袋と、
ホルムアルデヒド吸着材と、を備え、
前記複数の内包装袋の各々に前記ポリビニルアセタール樹脂多孔質体を収容して前記複数の内包装袋の開口部を閉止し、前記包装袋内に前記複数の内包装袋を収容するとともに前記複数の内包装袋外であって前記包装袋内に前記ホルムアルデヒド吸着材を収容して密閉したことを特徴とするポリビニルアセタール樹脂多孔質体の滅菌用包装体。
【請求項５】
包装袋の外部から電子線又はガンマ線を照射して前記包装袋内の複数のポリビニルアセタール樹脂多孔質体を滅菌するための滅菌用包装体であって、
複数の通気性の内包装袋と、
ホルムアルデヒド吸着性能を有する非通気性の前記包装袋と、を備え、
前記複数の内包装袋の各々に前記ポリビニルアセタール樹脂多孔質体を収容して前記複数の内包装袋の開口部を閉止し、前記包装袋内に前記複数の内包装袋を収容して密閉したことを特徴とするポリビニルアセタール樹脂多孔質体の滅菌用包装体。
【請求項６】
前記密閉された包装袋の内部の酸素濃度が２０％以下であることを特徴とする請求項４又は請求項５に記載のポリビニルアセタール樹脂多孔質体の滅菌用包装体。
【発明の詳細な説明】
【技術分野】
【０００１】
本発明は、電子線又はガンマ線の照射によってポリビニルアセタール樹脂多孔質体を滅菌する滅菌方法及び滅菌用包装体に関する。
【背景技術】
【０００２】
ＰＶＡｔスポンジ（ポリビニルアセタール樹脂多孔質体）は、ポリビニルアルコール（原料）の水溶液に架橋剤としてアルデヒド類、触媒として鉱酸類、及び気孔形成剤を加え、これらの混合液を所定の型内に注入し、加熱により反応させて型から取り出した後、水洗により気孔形成剤等を除去することによって得られる。
【０００３】
係るＰＶＡｔスポンジは、吸水性や保水性に優れるとともに湿潤時に好ましい柔軟性や反発弾性を有する素材としてよく知られており、ＰＶＡｔスポンジを医療用途で使用する場合には、ＰＶＡｔスポンジに滅菌処理を施す必要がある。
【０００４】
特許文献１には、密閉包装したＰＶＡｔスポンジに電子線又はガンマ線を照射することによって、ＰＶＡｔスポンジが滅菌されることが記載されている。
【先行技術文献】
【特許文献】
【０００５】
【特許文献１】特開平１１−１５２３６７号公報
【発明の概要】
【発明が解決しようとする課題】
【０００６】
電子線やガンマ線を照射していないＰＶＡｔスポンジではホルムアルデヒドの溶出が問題となることはないが、滅菌のための電子線やガンマ線を照射すると、ＰＶＡｔスポンジからのホルムアルデヒドの溶出量が増大してしまい、医療用途での使用に適さない可能性が生じる。
【０００７】
そこで、本発明は、医療用途での使用に好適なポリビニルアセタール多孔質体を得ることが可能なポリビニルアセタール多孔質体の滅菌方法及び滅菌用包装体の提供を目的とする。
【課題を解決するための手段】
【０００８】
上記目的を達成すべく、本発明のポリビニルアセタール樹脂多孔質体の滅菌方法では、ポリビニルアセタール樹脂多孔質体とホルムアルデヒド吸着材とを包装袋内に収容して密閉した状態で、前記包装袋の外部から電子線又はガンマ線を照射する。
【０００９】
また、本発明のポリビニルアセタール樹脂多孔質体の滅菌用包装体は、包装袋の外部から電子線又はガンマ線を照射して前記包装袋内のポリビニルアセタール樹脂多孔質体を滅菌するために、ポリビニルアセタール樹脂多孔質体とホルムアルデヒド吸着材とを包装袋内に収容して密閉する。
【００１０】
包装袋内のポリビニルアセタール樹脂多孔質体は、通気性を有する内包装袋内に収容されていてもよい。
【００１１】
通気性を有する内包装袋（透気性包装袋）は、滅菌に好適な微生物バリア性を有することが好ましく、内包装袋の素材としては、例えば紙や不織布が挙げられる。より具体的に例示すると、医療用滅菌紙や医療用タイベックが好適である。内包装袋は、その一部の領域のみが通気性を有してもよく、その全域が通気性を有してもよい。
【００１２】
ポリビニルアセタール樹脂多孔質体は、乾燥状態であってもよく湿潤状態であってもよい。
【００１３】
ポリビニルアセタール樹脂多孔質体とともに包装袋内に収容するホルムアルデヒド吸着材は、物理的あるいは化学的な吸着によるホルムアルデヒド吸収能を有するものであればよく、例えば活性炭、多孔質粘土鉱物、尿素、亜硫酸塩、ヒドラジド類、アミン化合物などが挙げられる。より具体的に例示すると、活性炭又はゼオライト系吸着材、セピオライト、尿素、亜硫酸水素ナトリウム、リン酸アンモニウム、硫酸アンモニウム、アジピン酸ジビドラジドが好適である。
【００１４】
ポリビニルアセタール樹脂多孔質体とホルムアルデヒド吸着材とを包装袋内に収容して密閉した状態で、包装袋の外部から電子線又はガンマ線を照射するので、電子線又はガンマ線の照射によりポリビニルアセタール樹脂多孔質体から揮発（溶出）したホルムアルデヒドがホルムアルデヒド吸着材に吸着される。このように、揮発したホルムアルデヒドをポリビニルアセタール樹脂多孔質体からホルムアルデヒド吸着材へ確実に移動及び保持させて、揮発したホルムアルデヒドのポリビニルアセタール樹脂多孔質体への再吸着を抑制することができるので、電子線又はガンマ線の照射後にポリビニルアセタール樹脂多孔質体に残存するホルムアルデヒドの量を効率よく低減させることができ、医療用途での使用に好適なポリビニルアセタール樹脂多孔質体を得ることができる。
【００１５】
本発明の他の滅菌方法では、ホルムアルデヒド吸着性能を有する包装袋内にポリビニルアセタール樹脂多孔質体を収容して密閉した状態で、包装袋の外部から電子線又はガンマ線を照射する。
【００１６】
本発明の他の滅菌用包装体は、包装袋の外部から電子線又はガンマ線を照射して包装袋内のポリビニルアセタール樹脂多孔質体を滅菌するために、ポリビニルアセタール樹脂多孔質体を包装袋内に収容して密閉した滅菌用包装体であって、包装袋は、ホルムアルデヒド吸着性能を有する。
【００１７】
包装袋内のポリビニルアセタール樹脂多孔質体は、通気性を有する内包装袋内に収容されていてもよい。
【００１８】
ホルムアルデヒド吸着性能を有する包装袋は、例えば上記ホルムアルデヒド吸着材を含有するフィルムを袋状に形成することによって得ることができる。
【００１９】
ホルムアルデヒド吸着性能を有する包装袋内にポリビニルアセタール樹脂多孔質体を収容して密閉した状態で、包装袋の外部から電子線又はガンマ線を照射するので、電子線又はガンマ線の照射によりポリビニルアセタール樹脂多孔質体から揮発（溶出）したホルムアルデヒドが包装袋に吸着される。このように、揮発したホルムアルデヒドをポリビニルアセタール樹脂多孔質体から包装袋へ確実に移動及び保持させて、揮発したホルムアルデヒドのポリビニルアセタール樹脂多孔質体への再吸着を抑制することができるので、電子線又はガンマ線の照射後にポリビニルアセタール樹脂多孔質体に残存するホルムアルデヒドの量を効率よく低減させることができ、医療用途での使用に好適なポリビニルアセタール樹脂多孔質体を得ることができる。
【００２０】
なお、ホルムアルデヒド吸着性能を有する包装袋内に、ホルムアルデヒド吸着材をさらに同封してもよい。
【００２１】
また、ホルムアルデヒド吸着材を同封する場合及びホルムアルデヒド吸着性能を有する包装袋を用いる場合の何れにおいても、包装袋を密閉する際に、包装袋の内部の酸素濃度を大気中の酸素濃度（約２１％）よりも低い２０％以下に低減して密閉し、係る低酸素濃度の雰囲気内のポリビニルアセタール樹脂多孔質体に包装袋の外部から電子線又はガンマ線を照射することが好適である。
【発明の効果】
【００２２】
本発明によれば、医療用途での使用に好適なポリビニルアセタール多孔質体を得ることができる。
【図面の簡単な説明】
【００２３】
【図１】本発明の一実施形態に係る滅菌用包装体を示す図であり、（ａ）は包装前の状態を、（ｂ）は包装後の状態をそれぞれ示す。
【図２】滅菌用包装体の他の例を示す図であり、（ａ）は包装前の状態を、（ｂ）は包装後の状態をそれぞれ示す。
【発明を実施するための形態】
【００２４】
ポリビニルアセタール樹脂多孔質体（以下、ＰＶＡｔスポンジと称する）は、乾燥状態で硬化し、湿潤状態で軟化する。ＰＶＡｔスポンジは、吸水性及び保水性に優れ、湿潤時に好ましい柔軟性と適度な反発弾性を示し、耐磨耗性にも優れている。
【００２５】
本実施形態のＰＶＡｔスポンジは、乾燥状態あるいは湿潤状態のＰＶＡｔスポンジ素材を切断や打ち抜き等により所定形状に加工したものであり、医療用途に使用される。ＰＶＡｔスポンジ素材は、例えば平均重合度５００〜３０００でケン化度８０％以上のポリビニルアルコール（原料）を一種又はそれ以上混合して水溶液とし、この水溶液に架橋剤としてホルムアルデヒド、触媒として鉱酸類、及び気孔形成剤として澱粉等を加え、これらの混合液を所定の型内に注入し、４０〜８０℃で反応させて型から取り出した後、水洗により気孔形成剤等を除去することによって得られる。
【００２６】
医療用途で使用するＰＶＡｔスポンジには、電子線又はガンマ線（以下、電子線等と称する）の照射による滅菌処理が施される。
【００２７】
ＰＶＡｔスポンジに電子線等を照射して滅菌する際には、図１に示すように、ＰＶＡｔスポンジ２とホルムアルデヒド吸着材３とを、通気性（透気性）を有さない非通気性の包装袋４内に収容し、包装袋４の開口部４ａを加熱シール等によって密閉した後、包装袋４の外側から電子線等を照射する。１つの包装袋４内に収容するＰＶＡｔスポンジ２の数は、１つであってもよく複数であってもよい。ＰＶＡｔスポンジ２は、包装袋４内に密閉された状態でユーザに提供され、ユーザは、ＰＶＡｔスポンジ２を使用する際に包装袋４を開封してＰＶＡｔスポンジ２を取り出す。
【００２８】
また、１つの包装袋４内に複数（多数）のＰＶＡｔスポンジ２を収容する場合、ＰＶＡｔスポンジ２のユーザは、同封された全てのＰＶＡｔスポンジ２を包装袋４の開封後に直ぐに使用するとは限らない。このため、図２に示すように、通気性を有する１つの内包装袋６内に所定数（例えば１つ）のＰＶＡｔスポンジ２を収容して内包装袋６の開口部６ａを閉止し、各々が所定数のＰＶＡｔスポンジ２を収容する複数の内包装袋６とホルムアルデヒド吸着材３とを非通気性の包装袋４内に収容し、包装袋４の開口部４ａを加熱シール等によって密閉した後、包装袋４の外側から電子線等を照射することが好適である。内側の内包装袋６と外側の包装袋４との二重包装により、包装袋４の開封後における未使用のＰＶＡｔスポンジ２の汚染を確実に抑制することができる。
【００２９】
このように、ＰＶＡｔスポンジ２を滅菌する際には、包装袋４内にＰＶＡｔスポンジ２とホルムアルデヒド吸着材３とを収容して密閉した滅菌用包装体１，１０を準備し、滅菌用包装体１，１０の外部から電子線等を照射する。
【００３０】
ホルムアルデヒド吸着材３には、活性炭やゼオライト系吸着材などが好適に用いられる。ホルムアルデヒド吸着材３は、シート状であってもよく、粉末状であってもよい。粉末状のホルムアルデヒド吸着材を用いる場合、通気性を有する袋内にホルムアルデヒド吸着材を収納し、その袋を包装袋４内に収容する。包装袋４の密閉時には、包装袋４内の酸素濃度を低減させてから密閉することが好ましい。
【００３１】
ＰＶＡｔスポンジ２とホルムアルデヒド吸着材３とを包装袋４内に収容して密閉した状態で、包装袋４の外部から電子線等を照射するので、電子線等の照射によりＰＶＡｔスポンジ２から揮発（溶出）したホルムアルデヒドがホルムアルデヒド吸着材３に吸着される。このように、揮発したホルムアルデヒドをホルムアルデヒド吸着材３へ確実に移動及び保持させて、揮発したホルムアルデヒドのＰＶＡスポンジ２への再吸着を抑制することができるので、電子線等の照射後にＰＶＡｔスポンジ２に残存するホルムアルデヒドの量を効率よく低減させることができ、医療用途での使用に好適なＰＶＡｔスポンジ２を得ることができる。
【００３２】
また、ホルムアルデヒド吸着材３を同封することに代えて又は加えて、ホルムアルデヒド吸着性能を有する包装袋５を用いてもよい。ホルムアルデヒド吸着性能を有する包装袋５は、例えば上記ホルムアルデヒド吸着材を含有するフィルムを袋状に形成することによって得ることができる。包装袋５の密閉時には、包装袋５内の酸素濃度を低減させてから密閉することが好ましい。
【００３３】
ホルムアルデヒド吸着性能を有する包装袋５内にＰＶＡｔスポンジ２を収容して密閉した状態で、包装袋５の外部から電子線又はガンマ線を照射するので、電子線又はガンマ線の照射によりＰＶＡｔスポンジ２から揮発（溶出）したホルムアルデヒドが包装袋５に吸着される。このように、揮発したホルムアルデヒドを包装袋５へ確実に移動及び保持させて、揮発したホルムアルデヒドのＰＶＡｔスポンジ２への再吸着を抑制することができるので、電子線又はガンマ線の照射後にＰＶＡｔスポンジ２に残存するホルムアルデヒドの量を効率よく低減させることができ、医療用途での使用に好適なＰＶＡｔスポンジ２を得ることができる。
【００３４】
以下に実施例をあげて本発明を説明するが、本発明はこれら実施例により何ら限定されるものではない。
【００３５】
実施例１〜７及び比較例１，２において、使用したＰＶＡｔスポンジは２種類（タイプＡ及びタイプＢ）であり、タイプＡとタイプＢとについて、その各々をホルムアルデヒド吸着材とともに包装袋内に収容して密閉し（実施例７については、ホルムアルデヒド吸着性能を有する包装袋内に収容して密閉し）、各包装袋の外部から電子線を照射した後、ホルムアルデヒド溶出量を求めた。なお、タイプＡについては実施例１〜７及び比較例１，２の全てを行い、タイプＢについては実施例１，３，５〜７及び比較例１を行った。
【００３６】
また、実施例８では、通気性を有する内包装袋内にＰＶＡｔスポンジ（タイプＡ及びタイプＢの各々）を収容して閉止し、ホルムアルデヒド吸着材と共に包装袋内に収容して密閉し、包装袋の外部から電子線を照射した後、ホルムアルデヒド溶出量を求めた。
【００３７】
タイプＡのＰＶＡｔスポンジ素材は、下記のように作成した。
【００３８】
平均重合度１７００の部分鹸化型ＰＶＡ（クラレ（株）製ポバール２２−８８）の１３％水溶液３５リットルに馬鈴薯澱粉の分散液５リットルを混合、５０％硫酸５リットルと３７％ホルムアルデヒド水溶液５リットルを加え、容器に流し込んで、６０℃にて、１８時間反応させた。反応終了後、容器より取り出し、洗浄して余剰のホルムアルデヒド、硫酸、澱粉等を除去し、タイプＡのＰＶＡｔスポンジ素材を得た。
【００３９】
また、タイプＢのスポンジ素材は、下記のように作成した。
【００４０】
平均重合度１７００の完全鹸化型ＰＶＡ（クラレ（株）製ポバール２８−９８）の１３％水溶液３５リットルに馬鈴薯澱粉の分散液５リットルを混合、５０％硫酸５リットルと３７％ホルムアルデヒド水溶液５リットルを加え、容器に流し込んで、６０℃にて、１８時間反応させた。反応終了後、容器より取り出し、洗浄して余剰のホルムアルデヒド、硫酸、澱粉等を除去し、タイプＢのＰＶＡｔスポンジ素材を得た。
【００４１】
実施例１〜８及び比較例１，２において、使用したＰＶＡｔスポンジは何れも同じＰＶＡｔスポンジ素材（タイプＡ又はタイプＢ）から同じ寸法形状（縦８０ｍｍ×横１５ｍｍ×厚さ１３ｍｍ）に加工したものである。また、使用した包装袋は、何れもアソー（株）のＡＳＯアルミラミネート袋であり、ナイロン／アルミ／ナイロン／ポリエチレンを積層して構成された同一素材で同一形状の袋状シートである。
【００４２】
（実施例１）
乾燥したＰＶＡｔスポンジを包装袋内に収納し、ホルムアルデヒド吸着材としてアイシン精機（株）製のホルムアルデヒド吸着・分解シートを包装袋内に０．５ｇ同封し、包装袋の開口部を加熱シールにより完全に密封して滅菌用包装体とした後、この滅菌用包装体の全体に照射線量が１０ｋＧｙになるように外部から電子線を照射した。
【００４３】
（実施例２）
乾燥したＰＶＡｔスポンジを包装袋内に収納し、ホルムアルデヒド吸着材として日の丸カーボテクノ（株）製の備長炭発泡シートを０．５ｇ同封し、包装袋の開口部を加熱シールにより完全に密封して滅菌用包装体とした後、この滅菌用包装体の全体に照射線量が１０ｋＧｙになるように外部から電子線を照射した。
【００４４】
（実施例３）
乾燥したＰＶＡｔスポンジを包装袋内に収納し、ホルムアルデヒド吸着材としてクラレクラフレックス（株）製の活性炭入り簡易防臭マスクであるキーメイトマスクを０．８ｇ同封し、包装袋の開口部を加熱シールにより完全に密封して滅菌用包装体とした後、この滅菌用包装体の外部から滅菌用包装体の全体に照射線量が１０ｋＧｙになるように電子線を照射した。
【００４５】
（実施例４）
乾燥したＰＶＡｔスポンジを包装袋内に収納し、ホルムアルデヒド吸着材として大和化学工業（株）製のホルマリンキャッチャー剤（ホルムクリンＨ―３００）を０．８ｇ同封し、包装袋の開口部を加熱シールにより完全に密封して滅菌用包装体とした後、この滅菌用包装体の外部から滅菌用包装体の全体に照射線量が１０ｋＧｙになるように電子線を照射した。
【００４６】
（実施例５）
乾燥したＰＶＡｔスポンジを包装袋内に収納し、ホルムアルデヒド吸着材としてアイシン精機（株）製のホルムアルデヒド吸着・分解シートを包装袋内に０．５ｇ同封し減圧後窒素置換により酸素濃度を２０％とし包装袋の開口部を加熱シールにより完全に密封して滅菌用包装体とした後、この滅菌用包装体の外部から滅菌用包装体の全体に照射線量が１０ｋＧｙになるように電子線を照射した。
【００４７】
（実施例６）
乾燥したＰＶＡｔスポンジを包装袋内に収納し、ホルムアルデヒド吸着材としてアイシン精機（株）製のホルムアルデヒド吸着・分解シートを包装袋内に０．５ｇ同封し減圧後窒素置換により酸素濃度を０．１％とし包装袋の開口部を加熱シールにより完全に密封して滅菌用包装体とした後、この滅菌用包装体の外部から滅菌用包装体の全体に照射線量が１０ｋＧｙになるように電子線を照射した。
【００４８】
（実施例７）
乾燥したＰＶＡｔスポンジを、大和化学工業（株）製のホルマリンキャッチャー剤（ホルムクリンＨ―３００）が含まれているフィルムにて形成された包装袋内に収納し、包装袋の開口部を加熱シールにより完全に密封して滅菌用包装体とした後、この滅菌用包装体の外部から滅菌用包装体の全体に照射線量が１０ｋＧｙになるように電子線を照射した。
【００４９】
（実施例８）
通気性を有する内包装袋として透気性包装であるアズワン(株)製のプロシェア滅菌バッグを使用し、乾燥したＰＶＡｔスポンジを内包装袋内に収納して内包装袋の開口部を閉止し、ＰＶＡｔスポンジが収納された内包装袋を包装袋に収容するとともに、ホルムアルデヒド吸着材としてのアイシン精機（株）製のホルムアルデヒド吸着・分解シート０．５ｇを包装袋に同梱し、包装袋の開口部を加熱シールにより完全に密封して滅菌用包装体とした後、この滅菌用包装体の外部から滅菌用包装体の全体に照射線量が１０ｋＧｙになるように電子線を照射した。
【００５０】
（比較例１）
乾燥したＰＶＡｔスポンジを包装袋内に収納し、ホルムアルデヒド吸着材を同封せずに包装袋の開口部を加熱シールにより完全に密封して滅菌用包装体とした後、この滅菌用包装体の外部から滅菌用包装体の全体に照射線量が１０ｋＧｙになるように電子線を照射した。
【００５１】
（比較例２）
乾燥したＰＶＡｔスポンジを包装袋内に収納し、ホルムアルデヒド吸着材ではない和光純薬工業（株）製のシリカゲル（中粒状、青色）を１．０ｇ同封し、包装袋の開口部を加熱シールにより完全に密封して滅菌用包装体とした後、この滅菌用包装体の外部から滅菌用包装体の全体に照射線量が１０ｋＧｙになるように電子線を照射した。
【００５２】
（ホルムアルデヒド溶出量の求め方）
電子線を照射した後のＰＶＡｔスポンジを包装袋から取出し、取出したＰＶＡｔスポンジから１ｇのスポンジを採取し、採取したスポンジを１００ｍｌのフラスコに入れ正確に量った水１００ｍｌを加えて密栓して振り混ぜてスポンジに水を浸透させた。
【００５３】
これを４０℃の水浴中で１時間抽出した後、あらかじめ調整したＪＩＳ  Ｌ  １０４１に規定されるアセチルアセトン試液と１：１の比率で混合し４０℃の水浴中で３０分間加温した。あらかじめ作成した検量線をもとに４２０ｎｍの吸光度を測定し、スポンジ１ｇあたりのホルムアルデヒド溶出量を算出した。
【００５４】
実施例１〜８及び比較例１，２の結果を、下記の表１に示す。表中のホルムアルデヒド溶出量比（％）とは、タイプＡ及びタイプＢのそれぞれにおける比較例１のホルムアルデヒド溶出量に対する各実施例又は比較例のホルムアルデヒド溶出量の割合である。例えば、タイプＡの比較例１のホルムアルデヒド溶出量がＸ（ｇ）であり、タイプＡの実施例Ｎのホルムアルデヒド溶出量がＹ（ｇ）であった場合、タイプＡの実施例Ｎのホルムアルデヒド溶出量比は、Ｙ／Ｘ×１００（％）である。同様に、タイプＢの比較例１のホルムアルデヒド溶出量がα（ｇ）であり、タイプＢの実施例Ｍのホルムアルデヒド溶出量がβ（ｇ）であった場合、タイプＢの実施例Ｍのホルムアルデヒド溶出量比は、β／α×１００（％）である。
【００５５】
【表１】
0006616666.tif 000002
【００５６】
上記表１に示すように、ホルムアルデヒド吸着材を同封した実施例１〜６とホルムアルデヒド吸着材を同封していない比較例１，２とを比較すると、実施例の方が比較例よりもホルムアルデヒドの溶出量が少ないことが確認された。すなわち、ホルムアルデヒド吸着材を同封することがホルムアルデヒドの溶出量の減少に対して有効であることが確認された。
【００５７】
同質で同量のホルムアルデヒド吸着材を同封した場合であって酸素濃度を低減していない（大気中の酸素濃度のままの）実施例１と酸素濃度を低減した実施例５，６とを比較すると、酸素濃度を低減した実施例５，６の方がホルムアルデヒドの溶出量が少ないことが確認された。すなわち、ホルムアルデヒド吸着材を同封し且つ包装袋内の酸素濃度を低減することがホルムアルデヒドの溶出量の減少に対してさらに有効であることが確認された。また、酸素濃度が２０％の実施例５と酸素濃度が０．１％の実施例６とを比較すると、酸素濃度が低い実施例６の方がホルムアルデヒドの溶出量が少ないことが確認された。すなわち、ホルムアルデヒド吸着材を同封し且つ包装袋内の酸素濃度を低減させる場合、酸素濃度が低い方が好適であることが確認された。
【００５８】
ホルムアルデヒド吸着材そのものを包装袋に同封せず、実施例７のようにホルムアルデヒド吸収材を含ませたフィルムによって包装袋を形成した場合（ホルムアルデヒド吸収特性を有する包装袋を用いた場合）も、ホルムアルデヒド吸着材を同封していない比較例１，２と比較すると、ホルムアルデヒド吸着材そのものを同封した場合と同様に、実施例の方が比較例よりもホルムアルデヒドの溶出量が少ないことが確認された。すなわち、ホルムアルデヒド吸収材を含ませたフィルムによって包装袋を形成した場合（ホルムアルデヒド吸収特性を有する包装袋を用いた場合）も、ホルムアルデヒド吸着材そのものを同封する場合と同様に、ホルムアルデヒドの溶出量の低減が可能であることが確認された。
【００５９】
実施例８のようにＰＶＡｔスポンジを収納した通気性の内包装袋を非通気性のアルミラミネート袋（包装袋）に収容するとともに包装袋にホルムアルデヒド吸着材を同梱したいわゆる二重包装の場合も、ホルムアルデヒド吸着材を同封していない比較例１、２と比較するとホルムアルデヒドの溶出量が少ないことが確認された。
【００６０】
なお、本発明は、一例として説明した上述の実施形態、及びその実施例に限定されることはなく、上述の実施形態等以外であっても、本発明に係る技術的思想を逸脱しない範囲であれば、設計等に応じて種々の変更が可能である。
【符号の説明】
【００６１】
１，１０…滅菌用包装体、２…ＰＶＡｔスポンジ（ポリビニルアセタール樹脂多孔質体）、３…ホルムアルデヒド吸着材、４…包装袋、５…ホルムアルデヒド吸着性能を有する包装袋、６…内包装袋
【図１】
0006616666.tif 000003
【図２】
0006616666.tif 000004